(57)【要約】【課題】  内燃機関に使用される燃料の性状にかかわらず、燃料噴射弁における堆積物の生成を抑制することのできる内燃機関の制御装置を提供する。【解決手段】  内燃機関１０は、シリンダ１１内に燃料噴射弁２４から燃料２６を直接噴射する。内燃機関１０の制御装置は、燃料２６中の添加物および不純物の少なくとも一方を検出する分光測定器４０と、分光測定器４０の検出結果に応じて燃料噴射弁２４における堆積物の生成を抑制する制御を実行する電子制御装置３０とを備える。【選択図】    図１
2006322437.tif 000002
【特許請求の範囲】
【請求項１】
気筒内に燃料噴射弁から燃料を直接噴射する内燃機関の制御装置であって、
燃料中の添加物および不純物の少なくとも一方を検出する検出手段と、同検出手段の検出結果に応じて前記燃料噴射弁における堆積物の生成を抑制する制御を実行する制御手段とを備える内燃機関の制御装置。
【請求項２】
請求項１に記載の内燃機関の制御装置において、
前記検出手段は前記添加物および不純物の少なくとも一方に含まれる元素の種類を検出し、前記制御手段は検出された元素の種類に応じて前記堆積物の生成を抑制する制御を実行する内燃機関の制御装置。
【請求項３】
請求項２に記載の内燃機関の制御装置において、
前記制御手段は検出された複数の元素の組み合わせに応じて前記堆積物の生成を抑制する制御を実行する内燃機関の制御装置。
【請求項４】
請求項２又は３に記載の内燃機関の制御装置において、
前記検出手段は燃料中における前記元素の濃度を更に検出し、前記制御手段は検出された元素の濃度に応じて前記堆積物の生成を抑制する制御を実行する内燃機関の制御装置。
【請求項５】
請求項１〜４のいずれかに記載の内燃機関の制御装置において、
前記検出手段は燃料が燃焼する際に放出される光のスペクトルに基づき前記添加物および不純物の少なくとも一方を検出する内燃機関の制御装置。
【請求項６】
請求項１〜５のいずれかに記載の内燃機関の制御装置において、
前記検出手段は燃料タンクへの燃料の補給に応じて前記添加物および不純物の少なくとも一方を検出する内燃機関の制御装置。
【発明の詳細な説明】
【技術分野】
【０００１】
本発明は、内燃機関の制御装置に関する。
【背景技術】
【０００２】
従来、気筒内に燃料噴射弁から燃料を直接噴射する、いわゆる筒内噴射式の内燃機関が実用化されている。このような筒内噴射式の内燃機関にあっては、燃料噴射弁の先端および噴孔が燃焼室内に曝されているため、同先端および噴孔の周辺に堆積物が生成されやすい。
【０００３】
そこで、機関運転状態が堆積物の生成されやすい領域にあるときに、堆積物の生成を抑制する制御を実行する内燃機関の制御装置が提案されている（例えば、特許文献１参照）。この特許文献１に記載の装置は、機関運転状態が堆積物の生成されやすい低負荷高回転領域にあるときに、燃料噴射弁に供給される燃料の圧力を低下させた上で必要量の燃料を噴射するようにしている。このため、燃料の噴射される期間が延長されることとなり、噴射された燃料による冷却能力が向上するようになる。その結果、燃料噴射弁の先端および噴孔周辺の温度が低く維持されるようになり、同先端および噴孔周辺における堆積物の生成を抑制することができる。
【特許文献１】特開平９−１９５８２０号公報
【特許文献２】特開平１０−３３９１９６号公報
【発明の開示】
【発明が解決しようとする課題】
【０００４】
ところで、オクタン価向上や摺動部の摩耗防止を目的として、内燃機関で使用される燃料に添加剤が入れられる場合がある。この添加剤に含まれる元素によっては、燃料噴射弁における堆積物の生成を促進させることがある。また、同様にして、燃料に含まれる不純物が堆積物の生成を促進させることもある。このような場合には、上記特許文献１に記載の装置による制御を行ったとしても、燃料噴射弁における堆積物の生成を抑制することは困難である。
【０００５】
なお、燃料噴射弁に堆積物が生成されたと判断した場合に、燃料噴射弁の噴射圧力を一時的に高めて先端および噴孔周辺の堆積物を除去する内燃機関の制御装置も提案されているが（例えば、特許文献２参照）、燃料噴射弁に一旦生成された堆積物を完全に除去することは困難である。
【０００６】
本発明はこうした実情に鑑みてなされたものであり、その目的は、内燃機関に使用される燃料の性状にかかわらず、燃料噴射弁における堆積物の生成を抑制することのできる内燃機関の制御装置を提供することにある。
【課題を解決するための手段】
【０００７】
以下、上記目的を達成するための手段及びその作用効果について記載する。
請求項１に記載の発明は、気筒内に燃料噴射弁から燃料を直接噴射する内燃機関の制御装置であって、燃料中の添加物および不純物の少なくとも一方を検出する検出手段と、同検出手段の検出結果に応じて前記燃料噴射弁における堆積物の生成を抑制する制御を実行する制御手段とを備えることを要旨としている。
【０００８】
上記構成によれば、燃料中の添加物および不純物の少なくとも一方が検出されるとともに、その検出結果に応じて燃料噴射弁における堆積物の生成を抑制する制御が実行される。その結果、添加物や不純物を含む燃料が使用されたとしても、燃料噴射弁における堆積物の生成を抑制することができる。
【０００９】
添加物や不純物が燃料噴射弁における堆積物の生成を促進させる度合いは、それらに含まれる元素の種類によって変化する。したがって、燃料中に添加物あるいは不純物が含まれることが検出された場合に、検出された元素の種類にかかわらず一律に堆積物の生成を抑制する制御を実行したとすると、その制御の実行が必要以上あるいは不十分となるおそれがある。
【００１０】
この点、請求項２に記載の発明によれば、前記検出手段は前記添加物および不純物の少なくとも一方に含まれる元素の種類を検出し、前記制御手段は検出された元素の種類に応じて前記堆積物の生成を抑制する制御を実行する。その結果、添加物や不純物に含まれる元素が燃料噴射弁における堆積物の生成を促進させる度合いに応じて、堆積物の生成を抑制する制御を適切に実行することができる。
【００１１】
燃料中に複数の添加物や不純物が含まれる場合には、それらに含まれる元素の組み合わせによっては、燃料噴射弁における堆積物の生成を促進させる度合いが特に大きくなることがある。したがって、検出された元素の種類に応じて堆積物の生成を抑制する制御を実行したとしても、その制御の実行が不十分となることがあり得る。
【００１２】
この点、請求項３に記載の発明によれば、前記制御手段は検出された複数の元素の組み合わせに応じて前記堆積物の生成を抑制する制御を実行する。その結果、添加物や不純物に含まれる複数の元素の組み合わせにより、燃料噴射弁における堆積物の生成を促進させる度合いが変化したとしても、その度合いに応じて堆積物の生成を抑制する制御を適切に実行することができる。
【００１３】
請求項４に記載の発明は、請求項２又は３に記載の内燃機関の制御装置において、前記検出手段は燃料中における前記元素の濃度を更に検出し、前記制御手段は検出された元素の濃度に応じて前記堆積物の生成を抑制する制御を実行することを要旨としている。
【００１４】
上記構成によれば、検出された元素の濃度に応じて堆積物の生成を抑制する制御が実行されるため、同制御をより適切に実行することができる。
具体的には、請求項５に記載の発明によるように、燃料が燃焼する際に放出される光のスペクトルに基づき添加物あるいは不純物を検出することができる。すなわち、元素は炎色反応によって固有の輝線スペクトルを示すため、これに基づいて燃料中の添加物あるいは不純物を検出することができる。
【００１５】
請求項６に記載の発明は、  請求項１〜５のいずれかに記載の内燃機関の制御装置において、前記検出手段は燃料タンクへの燃料の補給に応じて前記添加物および不純物の少なくとも一方を検出することを要旨としている。
【００１６】
上記構成によれば、燃料タンクへの燃料の補給に応じて燃料中の添加物および不純物の少なくとも一方が検出されるため、燃料の補給による燃料の性状変化に合わせて添加物あるいは不純物の検出を行うことができる。なお、燃料タンク内の燃料が十分撹拌するにはある程度の時間を要するため、燃料の補給が完了してから所定時間が経過した後に添加物あるいは不純物の検出を行うことが望ましい。
【発明を実施するための最良の形態】
【００１７】
本発明の一実施形態について、図１〜図６を参照して説明する。
図１に示すように、内燃機関１０は、シリンダ１１とそれに対応するピストン１２とを備えている。シリンダ１１にはシリンダヘッド１４が組み付けられており、シリンダヘッド１４には吸気通路１５および排気通路１６が接続されている。また、シリンダヘッド１４には、吸気バルブ１７及び排気バルブ１８が配設されている。これらシリンダ１１、ピストン１２、シリンダヘッド１４、吸気バルブ１７及び排気バルブ１８によって、燃焼室２８が区画されている。そして、吸気バルブ１７の開閉に応じて吸気通路１５から吸気が燃焼室２８に導入される。
【００１８】
また、燃料タンク２０には燃料２６が貯蔵されており、燃料レベルセンサ２７によって燃料のレベルが検出される。燃料２６は、燃料ポンプ２２の駆動に基づいて汲み上げられ、燃料通路２１，２３を通じて燃料噴射弁２４へと供給される。また、燃料ポンプ２２の吐出量に基づいて、燃料噴射弁２４へと供給される燃料の圧力が調整される。燃料噴射弁２４は、アクチュエータ２５により駆動され、シリンダ１１内に燃料を直接噴射する。燃料噴射弁２４から噴射された燃料は、上記ピストン１２の頂面に形成された凹部１３により点火プラグ１９の方向へと導かれる。そして、上記吸気通路１５から導入された吸気と燃料との混合気に、点火プラグ１９によって点火が行われる。混合気が燃焼された後の排気は、上記排気バルブ１８の開閉に応じて排気通路１６から排出される。
【００１９】
電子制御装置３０は、燃料噴射制御等、内燃機関１０における種々の制御を統括して実行するものであり、演算装置、駆動回路の他、各種制御の演算結果やその演算に用いられる関数マップ等を記憶する記憶装置等を備えている。電子制御装置３０は、内燃機関１０の運転状態を検出する各種センサからの信号に基づいて、上記点火プラグ１９、燃料ポンプ２２、燃料噴射弁２４、及びそれらのアクチュエータに駆動信号を出力する。また、電子制御装置３０には、上記燃料レベルセンサ２７及び分光測定器４０の検出信号が入力される。
【００２０】
図２に、分光測定器４０及びその周辺構成を拡大して示す。
同図２に示すように、上記燃焼室２８を区画する上記シリンダ１１の内周面には石英ガラス製のレンズ４３が設けられている。レンズ４３には、チューブ４１に外周を覆われた光ファイバ４２が接続されている。そして、燃焼室２８における混合気の燃焼により放出される光は、レンズ４３によって集められ、光ファイバ４２によって分光測定器４０内に導かれる。
【００２１】
分光測定器４０は、回折格子４４、複数のスリット４５、及び光電子増倍管４６を備えている。回折格子４４は、表面に多数の細線が刻み込まれた凹面鏡であり、光の干渉を起こさせて入射光を波長によって分解する。スリット４５は、回折格子４４により分光された光以外の光を遮断する。光電子増倍管４６は、スリット４５を通過した光を導入して、光の強度を電流に変換する。そして、この電流に基づく信号が上記電子制御装置３０に入力される。ここで、元素は炎色反応によって固有の輝線スペクトルを示すため、特定波長の光の強度を測定することにより、燃料に添加物あるいは不純物として含まれる元素の種類およびその濃度を検出することができる。
【００２２】
以下、堆積物の生成を抑制する制御の処理について、図３のフローチャートを参照して説明する。なお、このフローチャートに示される一連の処理は、電子制御装置３０により所定の周期をもって繰り返し実行される。
【００２３】
同図３に示すように、この一連の処理では、まず燃料タンクに燃料の補給が行われたか否かが判定される（ステップ１０）。具体的には、燃料レベルセンサ２７の検出信号に基づいて、燃料のレベルが増加したか否かが判定される。そして、燃料のレベルが増加した場合には、燃料タンク２０に燃料の補給が行われた旨判定する。なお、燃料タンクに燃料の補給が行われた旨判定された場合には、その判定結果はリセットされるまで維持される。
【００２４】
この判定処理を通じて燃料タンクに燃料の補給が行われた旨判定された場合には（ステップ１０：ＹＥＳ）、燃料タンク内の燃料が撹拌したか否か判定される（ステップ２０）。具体的には、タイマカウンタをカウントして、カウント数が判定値ＲＴ以上になったか否かが判定される。ここで、判定値ＲＴは、燃料タンクに補給された燃料が撹拌するのに十分な時間が経過したことを判定することのできる値に設定される。
【００２５】
この判定処理を通じて燃料タンク内の燃料が撹拌した旨判定された場合には（ステップ２０：ＹＥＳ）、混合気の燃焼により放出される光の分光測定が行われる（ステップ３０）。具体的には、上述したように、燃焼室２８における混合気の燃焼により放出される光が、レンズ４３によって集められ、光ファイバ４２によって分光測定器４０内に導かれる。分光測定器４０では、回折格子４４によって入射光が波長に応じて分解され、スリット４５を通過した光が光電子増倍管４６に導入される。光電子増倍管４６では、光の強度が電流に変換される。そして、この電流に基づく信号が電子制御装置３０に入力される。
【００２６】
このようにして混合気の燃焼により放出される光の分光測定が行われた後（ステップ３０）、燃料に添加物あるいは不純物として含まれる元素の特定とその濃度の検出が行われる（ステップ４０）。具体的には、上述したように、分光測定器４０の検出信号に基づいて、燃料２６に添加物あるいは不純物として含まれる元素の種類およびその濃度が検出される。ここで、燃料中の元素の種類およびその濃度と、燃料噴射弁における堆積物の生成量との間には、図４に示す関係のあることが本願の発明者らによって確認されている。堆積物の生成量は、所定の機関運転状態における燃料噴射弁の噴射量の低下率によって求められる。
【００２７】
同図４に示すように、燃料噴射弁における堆積物の生成量は、燃料中の元素濃度が大きくなるにつれて大きくなる。また、同生成量は、元素の種類によっても変化し、元素Ｄが最も小さく、元素Ｃ，Ｂ，Ａとなるにつれて順に大きくなる。例えば、元素Ａ，Ｂ，Ｃは添加剤に含まれるカリウム，鉄，マンガン，鉛等の金属であり、元素Ｄは硫黄である。元素Ｄは、それ単体が堆積物の生成を促進する度合いは小さいが、元素Ｃ（マンガン）と組み合わされると堆積物の生成を促進させる度合いが特に大きくなる。濃度Ｄ２は、想定され得る最も高い元素濃度であり、例えば１００ｐｐｍである。ここでは、燃料２６に含まれる元素として元素Ｃ，Ｄが特定され、その元素濃度が濃度Ｄ１と検出されたものとする。なお、この場合、堆積物の生成を抑制する制御を実行しなければ、堆積物の生成量は生成量ＤＰ１となる。
【００２８】
このようにして燃料に添加物あるいは不純物として含まれる元素の特定とその濃度の検出が行われた後（ステップ４０）、検出された元素の種類とその濃度に応じて堆積物の生成を抑制する制御の態様が決定される（ステップ５０）。具体的には、図５，６に示すグラフに基づいて、燃料噴射弁２４に供給される燃料の圧力および点火プラグ１９による点火時期が決定される。図５は、燃料中の元素濃度が濃度Ｄ１の場合について、燃料圧力と堆積物の生成量との関係を示している。
【００２９】
同図５に示すように、燃料噴射弁における堆積物の生成量は、燃料圧力が大きくなるにつれて小さくなる。これは、燃料噴射弁に供給される燃料の圧力、すなわち燃料の噴射圧力が大きくなると、噴孔周辺に生成された堆積物が除去されやすくなるためである。なお、燃料圧力Ｐ１は初期値であり、例えば８ＭＰａに設定されている。元素Ｃ，Ｄが燃料中に濃度Ｄ１で存在する場合には、堆積物の生成量は生成量ＤＰ４となる。ここでは、同生成量ＤＰ４を目標値である生成量ＤＰ３まで小さくするために燃料圧力を圧力Ｐ２に決定する。
【００３０】
また、図６に示すように、燃料噴射弁における堆積物の生成においては、堆積物の生成が抑制される臨界温度が存在する。したがって、燃料噴射弁の先端温度をこの臨界温度以下に保持すれば、堆積物の生成を抑制することができる。なお、温度Ｔ２は、燃料中の元素濃度が低いときにおける臨界温度であり、例えば１５０℃である。元素Ｃ，Ｄが燃料中に濃度Ｄ１で存在する場合には、燃料噴射弁２４の先端温度を温度Ｔ１以下にする必要があると決定する。なお、このようにして堆積物の生成を抑制する制御の態様が決定された後、燃料タンクに燃料の補給が行われた旨の判定結果はリセットされる。したがって、上記分光測定、元素の特定と濃度検出、及び堆積物生成の抑制態様の決定（ステップ３０〜５０）は、燃料タンクへの燃料の補給に応じて一度だけ行われる。
【００３１】
一方、上記判定処理を通じて、燃料タンクに燃料の補給が行われていない旨判定された場合（ステップ１０：ＮＯ）、及び燃料タンク内の燃料が撹拌していない旨判定された場合には（ステップ２０：ＮＯ）、上記分光測定、元素の特定と濃度検出、及び堆積物生成の抑制態様の決定（ステップ３０〜５０）は行われない。
【００３２】
このようにして検出された元素の種類とその濃度に応じて堆積物の生成を抑制する制御の態様が決定された後（ステップ５０）、機関運転状態の検出が行われる（ステップ６０）。具体的には、内燃機関１０の運転状態を検出する各種センサからの信号に基づいて、回転速度、負荷率、冷却水温等の機関運転状態が検出される。
【００３３】
このようにして機関運転状態の検出が行われた後（ステップ６０）、燃料噴射弁の先端温度が算出される（ステップ７０）。具体的には、上記回転速度、負荷率、冷却水温等に基づいて、燃料噴射弁２４の先端温度が算出される。なお、内燃機関１０の運転状態と燃料噴射弁２４の先端温度との関係は、予め実験等により求めておくことができる。
【００３４】
このようにして燃料噴射弁の先端温度が算出された後（ステップ７０）、燃料噴射弁に供給される燃料の圧力の制御が行われる（ステップ８０）。具体的には、上述したように決定された燃料圧力Ｐ２となるように、燃料ポンプ２２の吐出量が制御される。
【００３５】
このようにして燃料噴射弁に供給される燃料の圧力の制御が行われた後（ステップ８０）、混合気への点火時期の制御が行われる（ステップ９０）。ここで、点火プラグ１９による点火時期を遅角側に補正することによって、燃焼室２８での混合気の燃焼温度、ひいては燃料噴射弁２４の先端温度を低下させることができる。このため、燃料噴射弁２４の先端温度が、上述したように決定された温度Ｔ１以下となるように、点火プラグ１９による点火時期が制御される。
【００３６】
このようにして混合気への点火時期の制御が行われた後（ステップ９０）、この一連の処理は一旦終了される。  
以上詳述したように、本実施形態にかかる内燃機関の制御装置によれば、以下に列記するような効果が得られる。
【００３７】
（１）燃料２６中の添加物および不純物が検出されるとともに、その検出結果に応じて燃料噴射弁２４における堆積物の生成を抑制する制御が実行される。その結果、添加物や不純物を含む燃料が使用されたとしても、燃料噴射弁２４における堆積物の生成を抑制することができる。
【００３８】
（２）添加物や不純物が燃料噴射弁２４における堆積物の生成を促進させる度合いは、それらに含まれる元素の種類によって変化する。したがって、燃料２６中に添加物あるいは不純物が含まれることが検出された場合に、検出された元素の種類にかかわらず一律に堆積物の生成を抑制する制御を実行したとすると、その制御の実行が必要以上あるいは不十分となるおそれがある。
【００３９】
この点、本実施形態によれば、添加物および不純物に含まれる元素の種類を検出し、検出された元素の種類に応じて堆積物の生成を抑制する制御が実行される。その結果、添加物や不純物に含まれる元素が燃料噴射弁２４における堆積物の生成を促進させる度合いに応じて、堆積物の生成を抑制する制御を適切に実行することができる。
【００４０】
（３）燃料２６中に複数の添加物や不純物が含まれる場合には、それらに含まれる元素の組み合わせによっては、燃料噴射弁２４における堆積物の生成を促進させる度合いが特に大きくなることがある。したがって、検出された元素の種類に応じて堆積物の生成を抑制する制御を実行したとしても、その制御の実行が不十分となることがあり得る。
【００４１】
この点、本実施形態によれば、検出された複数の元素の組み合わせに応じて堆積物の生成を抑制する制御が実行される。その結果、添加物や不純物に含まれる複数の元素の組み合わせにより、燃料噴射弁２４における堆積物の生成を促進させる度合いが変化したとしても、その度合いに応じて堆積物の生成を抑制する制御を適切に実行することができる。
【００４２】
（４）検出された元素の燃料２６中の濃度に応じて堆積物の生成を抑制する制御が実行されるため、同制御をより適切に実行することができる。
（５）燃料タンク２０への燃料の補給に応じて燃料２６中の添加物および不純物が検出されるため、燃料の補給による燃料２６の性状変化に合わせて添加物あるいは不純物の検出を行うことができる。また、燃料の補給が完了してから所定時間が経過した後に添加物あるいは不純物の検出を行っているため、燃料タンク２０内の燃料が十分撹拌した後に添加物あるいは不純物の検出を行うことができる。
【００４３】
なお、上記実施形態は、これを適宜変更した、例えば次のような形態として実施することもできる。
・上記実施形態では、燃料タンク２０に燃料の補給が行われた後、燃料タンク２０内の燃料が撹拌したか否か判定するようにしたが、燃料タンク２０がほぼ空の状態で燃料の補給が行われた場合にはこの判定を省略してもよい。また、燃料の補給量に応じて、燃料タンク２０内の燃料が撹拌したことを判定する時間を変更してもよい。あるいは、燃料タンク２０への燃料の補給の有無にかかわらず、常に燃料２６中の元素の特定と濃度の検出を行うとともに、その結果に応じて堆積物の生成を抑制する制御の態様を決定してもよい。
【００４４】
・上記実施形態では、検出された複数の元素の組み合わせに応じて堆積物の生成を抑制する制御を実行するようにしたが、このような組み合わせを考慮することなく元素の種類に応じた制御のみを行ってもよい。図７に示すように、例えば元素Ａが濃度Ｄ１で検出された場合には、堆積物の生成量ＤＰ５を生成量ＤＰ３とすべく、燃料圧力を圧力Ｐ３とすればよい。また、図８に示すように、燃料噴射弁の先端温度を温度Ｔ３以下とするように点火時期制御を行えばよい。
【００４５】
・上記実施形態では、検出された元素の燃料２６中の濃度に応じて堆積物の生成を抑制する制御を実行するようにしたが、元素の濃度にかかわらず、元素の種類あるいは元素の組み合わせのみに応じて、堆積物の生成を抑制する制御を実行してもよい。例えば、元素Ｃが検出された場合には、図４に示す想定され得る最も高い元素濃度Ｄ２を用いて、堆積物の生成を抑制する制御を実行すればよい。この場合、図９に示すように、堆積物の生成量は、元素濃度Ｄ１のときの図７と比較して多くなる。そして、堆積物の生成量ＤＰ６を生成量ＤＰ３とすべく、燃料圧力を圧力Ｐ４とすればよい。また、図１０に示すように、燃料噴射弁の先端温度を温度Ｔ４以下とするように点火時期制御を行えばよい。
【００４６】
・上記実施形態では、添加物および不純物に含まれる元素の種類を検出し、検出された元素の種類に応じて堆積物の生成を抑制する制御を実行するようにしたが、添加物および不純物に含まれる元素の有無のみに応じて、堆積物の生成を抑制する制御を実行してもよい。例えば、図４に示す想定され得る最も高い元素濃度Ｄ２を用いるとともに、図９に示す元素Ａの場合を想定して堆積物の生成を抑制する制御を実行すればよい。この場合、図１１に示すように、堆積物の生成量ＤＰ７を生成量ＤＰ３とすべく、燃料圧力を圧力Ｐ５とすればよい。また、図１２に示すように、燃料噴射弁の先端温度を温度Ｔ５以下とするように点火時期制御を行えばよい。なお、このように燃料中の添加物および不純物に含まれる元素の有無のみに応じて堆積物の生成を抑制する制御を実行する場合には、回折格子４４の代わりにプリズムを用いたり、光電子増倍管の代わりにフォトダイオードを用いたりすることも可能である。
【００４７】
・上記実施形態では、燃料噴射弁２４における堆積物の生成を抑制する制御として、燃料圧力制御および点火時期制御を実行するようにしたが、それらの制御のいずれか一方のみ、あるいは燃料噴射時期や燃料噴射量の制御等その他の制御を実行してもよい。
【００４８】
・上記実施形態では、燃料２６中の添加物および不純物の双方を検出するようにしたが、それらの一方のみを検出するようにしてもよい。要するに、燃料２６中の添加物および不純物の少なくとも一方を検出して、その検出結果に応じて燃料噴射弁２４における堆積物の生成を抑制する制御を実行すればよい。
【００４９】
・上記実施形態では、シリンダ１１内に燃料噴射弁２４から燃料を直接噴射するとともに点火プラグ１９によって混合気に点火を行う、いわゆる筒内噴射式のガソリンエンジンに本発明を適用するようにしたが、ディーゼルエンジンに本発明を適用してもよい。要するに、気筒内に燃料噴射弁から燃料を直接噴射する内燃機関であれば、本発明を適用することができる。
【図面の簡単な説明】
【００５０】
【図１】本発明の一実施形態にかかる内燃機関の制御装置の構成を示すブロック図。
【図２】上記内燃機関の制御装置が備える分光測定器の構成を示す拡大断面図。
【図３】堆積物の生成を抑制する制御の処理手順を示すフローチャート。
【図４】燃料中の元素の種類およびその濃度と堆積物の生成量との関係を示すグラフ。
【図５】燃料中の元素の種類および燃料圧力と堆積物の生成量との関係を示すグラフ。
【図６】燃料中の元素の種類およびその濃度と堆積物生成が抑制される臨界温度との関係を示すグラフ。
【図７】燃料中の元素の種類および燃料圧力と堆積物の生成量との関係を示すグラフ。
【図８】燃料中の元素の種類およびその濃度と堆積物生成が抑制される臨界温度との関係を示すグラフ。
【図９】燃料中の元素の種類および燃料圧力と堆積物の生成量との関係を示すグラフ。
【図１０】燃料中の元素の種類およびその濃度と堆積物生成が抑制される臨界温度との関係を示すグラフ。
【図１１】燃料圧力と堆積物の生成量との関係を示すグラフ。
【図１２】燃料中の元素の濃度と堆積物生成が抑制される臨界温度との関係を示すグラフ。
【符号の説明】
【００５１】
１０…内燃機関、１１…シリンダ、１２…ピストン、１３…凹部、１４…シリンダヘッド、１５…吸気通路、１６…排気通路、１７…吸気バルブ、１８…排気バルブ、１９…点火プラグ、２０…燃料タンク、２１，２３…燃料通路、２２…燃料ポンプ、２４…燃料噴射弁、２５…アクチュエータ、２６…燃料、２７…燃料レベルセンサ、２８…燃焼室、３０…電子制御装置、４０…分光測定器、４１…チューブ、４２…光ファイバ、４３…レンズ、４４…回折格子、４５…スリット、４６…光電子増倍管。
【図１】
2006322437.tif 000003
【図２】
2006322437.tif 000004
【図３】
2006322437.tif 000005
【図４】
2006322437.tif 000006
【図５】
2006322437.tif 000007
【図６】
2006322437.tif 000008
【図７】
2006322437.tif 000009
【図８】
2006322437.tif 000010
【図９】
2006322437.tif 000011
【図１０】
2006322437.tif 000012
【図１１】
2006322437.tif 000013
【図１２】
2006322437.tif 000014